(57)【特許請求の範囲】
【請求項１】
エレベータ乗りかごと、該エレベータ乗りかごに設置され、少なくとも消灯スイッチを含むスイッチ類が収納されているエレベータ乗りかご内操作盤と、前記消灯スイッチと連動して点灯及び消灯するエレベータ乗りかご天井照明装置と、前記エレベータ乗りかごのかご呼びを検出しエレベータの制御を行う制御部とを備えたエレベータ装置において、
前記制御部は、前記エレベータ乗りかご内操作盤に前記エレベータ乗りかごのかご呼びが少なくとも２箇所登録され、かつ、前記消灯スイッチが操作された際には、該消灯スイッチの操作を無効にすることを特徴とするエレベータ装置。
【請求項２】
請求項１に記載のエレベータ装置において、
前記消灯スイッチの操作が無効であることを報知する報知装置を備えていることを特徴とするエレベータ装置。
【請求項３】
請求項２に記載のエレベータ装置において、
前記報知装置は、前記制御部からの指令に基づき、前記エレベータ乗りかご天井照明装置の消灯不可を報知するものであることを特徴とするエレベータ装置。
【請求項４】
請求項１に記載のエレベータ装置において、
前記制御部は、かご呼びを検出していないか、又は前記エレベータ乗りかご内操作盤に前記エレベータ乗りかごのかご呼びが１箇所登録され、かつ、前記消灯スイッチが操作された際には、該消灯スイッチの操作を有効として前記エレベータ乗りかご天井照明装置を消灯させることを特徴とするエレベータ装置。
【発明の詳細な説明】
【技術分野】
【０００１】
本発明はエレベータ装置に係り、特に、消灯スイッチにより消灯及び点灯されるエレベータ乗りかご天井照明装置の消灯条件を改善したエレベータ装置に関する。
【背景技術】
【０００２】
エレベータ乗りかごにエレベータ乗りかご天井照明装置が設置されているエレベータ装置において、エレベータ乗りかご天井照明装置を消灯及び点灯する装置として、例えば特許文献１に開示されたものがある。
【０００３】
この特許文献１には、エレベータ乗りかご天井照明装置の消灯条件を、照明スイッチを消灯方向に動作させた後、エレベータ乗りかごの出口近傍の人物検出センサを人が横切ってホール側に出た時とし、点灯条件を、エレベータ乗りかご近傍の人物検出センサを人が横切ってエレベータ乗りかご内に人が入った時とすることが記載されている。一方、特許文献２には、エレベータの操作盤に照明用スイッチを有することが記載されている。
【先行技術文献】
【特許文献】
【０００４】
【特許文献１】特開平５−１４７８３２号公報
【特許文献２】特開平６−３４０３８０号公報
【発明の概要】
【発明が解決しようとする課題】
【０００５】
しかしながら、上述した特許文献１では、エレベータ乗りかご内の利用者（例えば乗客、保守員等）の有無に関係なく、自動的にエレベータ乗りかご天井照明装置が消灯されてしまう可能性があり、消灯後、乗りかご内に残された利用者の利便性を著しく損ねる懸念があった。即ち、通常、かご呼び等が無い場合には、例えば、５分後に自動的にエレベータ乗りかご天井照明装置が消灯するようになっており、また、利用者が何もしないでエレベータ乗りかご内に残っていると、現状は、利用者が居るとは判断せず、エレベータが動いているとしか見ていなく、例えば、５分後に自動的にエレベータ乗りかご天井照明装置が消灯してしまい、利用者の利便性を損ねる恐れがあった。
【０００６】
一方、特許文献２には、エレベータの操作盤に照明用スイッチを有することが記載されているが、この照明用スイッチが、どのような条件で入り切りされるかについては、全く記載されていない。
【０００７】
本発明は上述の点に鑑みなされたもので、その目的とするところは、エレベータ乗りかご内に残された利用者の利便性を損ねることのないエレベータ装置を提供することにある。
【課題を解決するための手段】
【０００８】
本発明のエレベータ装置は、上記目的を達成するために、エレベータ乗りかごと、該エレベータ乗りかごに設置され、少なくとも消灯スイッチを含むスイッチ類が収納されているエレベータ乗りかご内操作盤と、前記消灯スイッチと連動して点灯及び消灯するエレベータ乗りかご天井照明装置と、前記エレベータ乗りかごのかご呼びを検出しエレベータの制御を行う制御部とを備えたエレベータ装置において、前記制御部は、前記エレベータ乗りかご内操作盤に前記エレベータ乗りかごのかご呼びが少なくとも２箇所登録され、かつ、前記消灯スイッチが操作された際には、該消灯スイッチの操作を無効にすることを特徴とする。
【０００９】
また、本発明のエレベータ装置は、上記に加え、前記消灯スイッチの操作が無効であることを報知する報知装置を備えていることを特徴とする。
【００１０】
また、本発明のエレベータ装置は、上記に加え、前記報知装置は、前記制御部からの指令に基づき、前記エレベータ乗りかご天井照明装置の消灯不可を報知するものであることを特徴とする。
【００１１】
また、本発明のエレベータ装置は、上記に加え、前記制御部は、かご呼びを検出していないか、又は前記エレベータ乗りかご内操作盤に前記エレベータ乗りかごのかご呼びが１箇所登録され、かつ、前記消灯スイッチが操作された際には、該消灯スイッチの操作を有効として前記エレベータ乗りかご天井照明装置を消灯させることを特徴とする。
【発明の効果】
【００１２】
本発明によれば、不用意なエレベータ乗りかご天井照明装置の消灯を防ぎことができるので、エレベータ乗りかご内に残された利用者の利便性を損ねる懸念がなくなるという効果がある。
【図面の簡単な説明】
【００１３】
【図１】本発明のエレベータ装置の実施例１の概略を示す平面図である。
【図２】本発明のエレベータ装置の実施例１におけるシステム処理を示すフローチャートである。
【図３】本発明のエレベータ装置の実施例１における動作回路図である。
【発明を実施するための形態】
【００１４】
以下、図示した実施例に基づいて本発明のエレベータ装置を説明する。
【実施例１】
【００１５】
図１は、本発明のエレベータ装置の実施例１を示すものである。
【００１６】
該図に示す如く、本実施例のエレベータ装置は、エレベータ乗りかご１と、このエレベータ乗りかご１に設置され、少なくとも消灯スイッチ３を含むスイッチ類及び消灯スイッチ３の操作が無効であることを報知（アナウンス）する報知装置５が収納されているエレベータ乗りかご内操作盤２と、消灯スイッチ３と連動して点灯及び消灯するエレベータ乗りかご天井照明装置４と、エレベータ乗りかご１のかご呼びを検出しエレベータの制御を行う制御部６とから概略構成され、利用者がエレベータ乗りかご１に乗車し、エレベータ乗りかご内操作盤２を操作すると、その利用者が登録したかご呼びの情報は、エレベータ制御を行う制御部６へ送られエレベータを制御するようになっている。
【００１７】
そして、本実施例では、上述した制御部６は、利用者がエレベータ乗りかご１に乗車し、エレベータ乗りかご内操作盤２にエレベータ乗りかご１のかご呼びが少なくとも２箇所登録され、かつ、消灯スイッチ３が操作された場合には、エレベータ制御を行う制御部６から報知装置５に対して、天井照明の消灯不可の旨の放送をさせて、消灯スイッチ３の操作を無効にするものである。
【００１８】
一方、制御部６は、かご呼びを検出していないか、又は上述した利用者がエレベータ乗りかご１に乗車し、エレベータ乗りかご内操作盤２にかご呼びを１箇所登録して、且つ、消灯スイッチ３を操作した場合には、消灯スイッチ３の操作を有効にして、エレベータ乗りかご天井照明装置４を消灯させるものである。
【００１９】
次に、本実施例における動作説明を図２のフローチャート及び図３の動作回路図を用いて説明する。尚、図２に示すフォローチャートは、全て制御部６で行われるものである。
【００２０】
図２に示す如く、ステップ１（Ｓ１）では、利用者がエレベータ乗りかご１に乗車し、エレベータ乗りかご内操作盤２を操作し、かご呼びを登録する。ステップ２（Ｓ２）では、かご呼びが２箇所以上登録されているかを判定し、かご呼びが２箇所以上登録されている場合には、ステップ３（Ｓ３）では、消灯スイッチ３が操作されたかを判定する。ここで、消灯スイッチ３が操作されたと判定された場合には、報知装置５から天井照明装置４の消灯不可の旨の放送をさせて、消灯スイッチ３の操作を無効にする。即ち、天井照明装置４の点灯を継続するものである。
【００２１】
一方、Ｓ２でかご呼びが２箇所以上登録されていない（即ち、かご呼びが１箇所登録されている）と判定された場合には、ステップ５（Ｓ５）で消灯スイッチ３が操作されたかを判定し、消灯スイッチ３が操作された場合には、ステップ６（Ｓ６）で消灯スイッチ３の操作を有効にして、天井照明装置４を消灯させるものである。
【００２２】
尚、Ｓ３及びＳ５の各々で、消灯スイッチ３が操作されないと判定された場合には、いずれも最初（ＳＴＡＲＴ）に戻るものである。
【００２３】
図３に示す動作回路図において、１１は、かご呼びが２箇所以上登録されているか判定する判定装置、１２は、かご呼びが２箇所以上登録されている時に動作するリレー、１２ａは、リレー１２が動作している時に動作する接点、１３は、かご呼びが１箇所以上登録されている時に動作するリレー、１３ｂは、リレー１３が動作していない時に動作する接点、１５は、消灯スイッチ３が操作されている時に動作するリレー、１５ａは、リレー１５が動作している時に動作する接点、１５ｂは、リレー１５が動作していない時に動作する接点であり、４は、上述したエレベータ乗りかご天井照明装置、５は、上述した報知装置である。
【００２４】
この図３において、判定装置１１でかご呼びが２箇所以上登録されていると判定されるとリレー１２が動作し、それに伴い接点１２ａが閉じ、更に、消灯スイッチ３が操作されるとリレー１５が動作し、それに伴い接点１５ａが閉じることで、報知装置５から天井照明装置４の消灯不可の旨の放送をさせて、消灯スイッチ３の操作が無効に、即ち、エレベータ乗りかご天井照明装置４の点灯が継続される。
【００２５】
一方、エレベータ乗りかごのかご呼びが１箇所登録され判定されるとリレー１３が動作するが、接点１３ｂは開放したままで閉じないし、更に、消灯スイッチ３が操作されるとリレー１５が動作するが、接点１５ｂは開放したままで閉じないので、消灯スイッチ３の操作が有効とされ、エレベータ乗りかご天井照明装置４が消灯される。
【００２６】
このような本実施例によれば、利用者の利便性を著しく損ねることなく、エレベータ乗りかごに設置した消灯スイッチを操作しエレベータ乗りかご天井照明を消灯することができる。また、利用者がエレベータ乗りかごにいる場合は、上記消灯スイッチの機能を無効にすることで、不用意なエレベータ乗りかご天井照明の消灯を防ぎ、乗客の安全性を保つことができる。
【符号の説明】
【００２７】
１…エレベータ乗りかご、２…エレベータ乗りかご操作盤、３…消灯スイッチ、４…エレベータ乗りかご天井照明装置、５…報知装置、６…制御部、１１…かご呼びが２箇所以上登録されているか判定する判定装置、１２…かご呼びが２箇所以上登録されている時に動作するリレー、１２ａ…リレー１２が動作している時に動作する接点、１３…かご呼びが１箇所以上登録されている時に動作するリレー、１３ｂ…リレー１３が動作していない時に動作する接点、１５…消灯スイッチ３が操作されている時に動作するリレー、１５ａ…リレー１５が動作している時に動作する接点、１５ｂ…リレー１５が動作していない時に動作する接点。
【図１】
0005698692.tif 000002
【図２】
0005698692.tif 000003
【図３】
0005698692.tif 000004